(57)【要約】【課題】既存化粧材や下地材等の被着体に化粧シートを貼り合せて施工する際に、被着体の外観色やその濃淡、或いは表面凹凸が、施工後の化粧シート外観に悪影響するを防ぎ、特にリフォーム時には既存化粧材を取り外さずに、それを廃棄物として出さずに済む様にする。【解決手段】既存化粧材又は下地材の被着体２０に、粘着加工を施して粘着剤層１２を設けた化粧シート１０を貼り合せる施工方法にて、既存化粧材又は下地材と化粧シートとの間に、少なくとも片面が粘着加工され粘着剤層３２を設けた隠蔽性を有する熱可塑性樹脂粘着シート３０を介在させて、化粧シートを貼り合せる。【選択図】        図１
2004238832.tif 000002
【特許請求の範囲】
【請求項１】
既存化粧材又は下地材に、粘着加工を施した化粧シートを貼り合せる化粧シートの施工方法において、
既存化粧材又は下地材が呈する外観色及びその濃淡や表面凹凸が施工後の化粧シート外観へ影響するのを防ぐために、既存化粧材又は下地材と化粧シートとの間に、少なくとも片面が粘着加工され隠蔽性を有する熱可塑性樹脂粘着シートを介在させて、化粧シートを既存化粧材又は下地材に貼り合せる、化粧シートの施工方法。
【発明の詳細な説明】
【０００１】
【発明の属する技術分野】
本発明は、建築内装分野におけるリフォーム向け等に好適な、化粧シートを貼り合せる施工方法に関する。
【０００２】
【従来の技術】
これまでの新築及びリフォーム用建材としては、建具、造作部材、枠材等の木質基材等に対して、接着剤にて化粧シートを貼り合わせた化粧材を、現場に持ち込み組み立てや施工を行っていた。また、リフォームに関しては、既存の化粧材を取り外してから、新築時と同様にして施工していた。取り外された既存化粧材は廃棄物となり、その後処理が必要であった。
一方、化粧シートとしては、容易に貼り合わせられる様に、化粧シートに粘着加工を施したもの等も知られている（特許文献１、特許文献２等参照）。
【０００３】
【特許文献１】
実公昭５９−１７９１８号公報
【特許文献２】
特開２０００−２９７５１２号公報
【０００４】
【発明が解決しようとする課題】
特に、リフォームの場合、取り外した既存化粧材に対してその廃棄物処理が必要であることから、既存化粧材は取り外さずに、その上に直に化粧シートを貼り合わせて施工できれば良いのだが、問題があった。それは、既存化粧材が呈する表面外観色やその濃淡が、施工後の化粧シートを通して透けて見えてその意匠外観に悪影響するからであった。また、既存化粧材に表面凹凸がある場合には、その表面凹凸が、施工後の化粧シートの表面にも表面凹凸となって現れてしまうからであった。この様な既存化粧材面にそのまま化粧シートを施工する場合の問題は、下地材に対して化粧シートを貼り合せて施工する場合でも、下地材の外観色及びその濃淡や表面凹凸次第では既存化粧材の場合と同様であった。
【０００５】
すなわち、本発明の課題は、既存化粧材や下地材等の被着体の外観色及びその濃淡や表面凹凸の悪影響を防げる施工方法を提供し、特にリフォーム時には既存化粧材を廃棄物として出さずに済む施工方法を提供することである。
【０００６】
【課題を解決するための手段】
本発明の化粧シートの施工方法では、既存化粧材又は下地材に、粘着加工を施した化粧シートを貼り合せる化粧シートの施工方法において、既存化粧材又は下地材が呈する外観色及びその濃淡や表面凹凸が施工後の化粧シート外観へ影響するのを防ぐために、既存化粧材又は下地材と化粧シートとの間に、少なくとも片面が粘着加工され隠蔽性を有する熱可塑性樹脂粘着シートを介在させて、化粧シートを既存化粧材又は下地材に貼り合せる、化粧シートの施工方法とした。
【０００７】
この様な施工方法とすることで、既存化粧材又は下地材と化粧シートとの間に介在させる熱可塑性樹脂粘着シートによって、被着体である既存化粧材や下地材を隠蔽して、その外観色やその濃淡が、施工後の化粧シートを通して透けて見え意匠外観に悪影響するのを防げる。この為、特にリフォーム時に化粧シートを貼り合わせて施工する場合では、既存化粧材を取り外さなくて済み、廃棄物を出さないリフォーム化粧が可能となる。
また、熱可塑性樹脂粘着シートの介在によって、既存化粧材や下地材の表面に凹凸が有る場合でも、その凹凸が施工後の化粧シート表面に悪影響して、化粧シート表面に前記凹凸が現れるのを防げる。この為、リフォーム時では既存化粧材の表面がエンボス化粧シートからなる場合の様に、表面凹凸を有する場合でも、表面の化粧シートのみを剥がしたり既存化粧材全体を取り除いたりせずに既存化粧材はそのままで、既存化粧材面に化粧シートを施工できる。この為、既存化粧材に表面凹凸が有る場合でも、既存化粧材を取り外さなくて済み、廃棄物を出さないリフォーム化粧が可能となる。一方、下地材では表面凹凸が大きい合板や石綿スレート板等の場合でも、その表面凹凸の悪影響を防いで、化粧シートを施工できる。
【０００８】
【発明の実施の形態】
以下、図面を参照しながら本発明の実施の形態を説明する。
【０００９】
先ず、図１は、本発明による化粧シートの施工方法を、その一形態で概念的に説明する断面図である。図１（Ａ）は施工前、図１（Ｂ）は施工後の状態を示す。化粧シート１０には、化粧シート本体１１の貼り合わせ面側（図面下側）に粘着加工による粘着剤層１２を設けたものを使用する。また、粘着剤層１２面には更に、粘着剤層１２の保護目的で施工時には剥がすセパレータ１３を積層しても良い。
【００１０】
そして、この化粧シート１０を、被着体２０である既存化粧材或いは下地材に貼り合せて施工するときに、本発明では、化粧シート１０と被着体２０との間に、少なくとも片面が粘着加工され隠蔽性を有する熱可塑性樹脂粘着シート３０を介在させて、化粧シート１０を被着体２０である既存化粧材又は下地材に貼り合せる。同図の粘着シート（以下、「熱可塑性樹脂粘着シート」を単に「粘着シート」とも呼ぶ）３０は、シート基材３１の片面（図面下側の被着体２０側）が粘着加工され粘着剤層３２を有する構成のものである。更に、化粧シート１０の場合と同様に、粘着剤層３２面には更に、粘着剤層３２の保護目的で施工時には剥がすセパレータ３３を積層しても良い。
そして、例えば、該粘着シート３０を、その粘着剤層３２で被着体２０に貼り合わせた後、該粘着シート３０の上から前記化粧シート１０をその粘着剤層１２で貼り合わせる。或いは逆に、化粧シート１０と粘着シート３０とを貼り合せてから、貼り合わされた化粧シート１０と粘着シート３０との積層体を、被着体２０である既存化粧材又は下地材に貼り合せる。これによって、既存化粧材或いは下地材の外観色やその濃淡、或いは表面凹凸が施工後の化粧シート外観に悪影響するのを防げる。
【００１１】
化粧シート１０を構成する化粧シート本体１１としては、化粧シート分野に於ける従来公知の各種化粧シートで良く、特に制限は無い。例えば、その基材は、紙、樹脂シート、金属箔、或いはこれらの積層体等である。紙には、例えば、薄葉紙、チタン紙、クラフト紙、上質紙等が使用され、樹脂シートとしては、ポリエステル樹脂、ポリオレフィン樹脂、塩化ビニル樹脂等からなるシート（乃至はフィルム）が使用され、金属箔としては、アルミニウム箔等が使用される。なお、樹脂シートの場合には、地球環境対応と言う点で、塩化ビニル樹脂等のハロゲン元素を含まない樹脂、例えば、ポリエステル樹脂、アクリル樹脂、オレフィン樹脂等が好ましい。なかでも、オレフィン樹脂は、塩化ビニル樹脂に近い加工性等の各種物性を出せる点で、好ましい。なお、オレフィン樹脂としては、例えば、ポリエチレン、ポリプロピレン、ポリメチルペンテン、ポリブテン、エチレン−プロピレン共重合体、プロピレン−ブテン共重合体、オレフィン系熱可塑性エラストマーが用いられる。
【００１２】
また、化粧シート本体１１は、通常、上記基材に対して、装飾処理が施されたものを使用する。装飾処理は、樹脂シート中への顔料や染料等の着色剤添加による着色、模様等を表現する印刷等による絵柄層の付与、エンボス加工による凹凸模様の賦形等である。
【００１３】
本発明での化粧シート１０は、上記化粧シート本体１１に対して粘着加工を施して粘着剤層１２を設けたものであるが、粘着加工としては、特に制限は無く、従来公知の各種粘着加工を適宜採用すれば良い。例えば、粘着加工で使用する粘着剤としては、その形態では、溶剤系、水系（エマルション系）、ホットメルト系、等のものを適宜採用すれば良い。また、粘着剤の材質では、ゴム系、アクリル系、ＵＶ（紫外線）・ＥＢ（電子線）硬化型系等である。
なお、粘着剤層面には、それを使用時まで保護する為に公知のセパレータを積層しても良い。例えば、紙や樹脂シートにシリコーン等で離型処理したものがセパレータとして使用される。
【００１４】
また、化粧シート本体１１に対する粘着加工は、粘着剤を化粧シート本体に直接塗布して施す以外に、セパレータ１３の離型面に粘着剤を塗布して粘着剤層を形成したものを、その粘着剤層で化粧シート本体に貼り合わせても良い。
【００１５】
次に、上記した粘着加工が施された化粧シートと、既存化粧材又は下地材との間に介在させる熱可塑性樹脂製の熱可塑性樹脂粘着シート３０であるが、該粘着シート３０は、図１で例示の如く、シート基材３１の少なくとも片面に粘着剤層３２を有する、少なくとも片面が粘着加工され且つ隠蔽性を有する粘着シートである。シート基材３１は熱可塑性樹脂シートからなり、シート基材に熱可塑性樹脂シートを使用することで、その可撓性によって、既存化粧材や下地材の角部分の様な被着面が二次曲面の場合に於いても、粘着シート或いは該粘着シートと化粧シートとの積層体を、容易に曲げて貼り合せて施工することができる。
【００１６】
粘着シートの隠蔽性は、シート基材に熱可塑性樹脂を使用する点で、該シート基材の樹脂中にチタン白等の高隠蔽性顔料を添加する事で、容易に付与できる。
また、粘着シートの隠蔽性は、該粘着シートが有する粘着剤層中に上記高隠蔽性顔料を添加しても良い。或いは、シート基材と粘着剤層との両方への添加を併用しても良い。但し、粘着剤層中への添加は添加量が多すぎると粘着力低下を来す点で、好ましくはシート基材中への添加の方が良い。
【００１７】
シート基材に用いる熱可塑性樹脂としては、ポリエチレン、ポリプロピレン等のオレフィン樹脂、ポリエチレンテレフタレート、ポリブチレンテレフタレート等のポリエステル樹脂、塩化ビニル樹脂、アクリル樹脂等、特に制限は無い。但し、ハロゲン元素を含まず環境対応となる点、コスト的な点等で、好ましくは、オレフィン樹脂が望ましい樹脂の一つである。
【００１８】
また、既存化粧材や下地材の表面凹凸の影響を効果的に防げる点で、シート基材の厚みは厚い程良く、またシート基材は腰が強い程良い。また、同じ厚みでも、腰の強いシート基材を使用すれば、表面凹凸の防止効果はより大きくなる。これらの点、及び施工対象となる被着体の表面凹凸等を勘案して、シート基材に用いる熱可塑性樹脂、及びシート基材の厚みは適宜選択すると良い。例えば、シート基材の厚みは、０．２ｍｍ以上、好ましくは０．３ｍｍ以上、より好ましくは０．５ｍｍ以上とすると良い。
【００１９】
また、粘着シートは、その粘着剤層面を使用時まで保護する為に、公知のセパレータを積層しても良い。なお、シート基材に粘着加工を施すには、粘着剤をシート基材に直接塗布して施す以外に、セパレータの離型面に粘着剤を塗布して粘着剤層を設けたものを、その粘着剤層でシート基材に接着しても良い。
なお、粘着シートの粘着剤層に用いる粘着剤は、従来公知のものを適宜採用すれば良く、例えばその形態では、溶剤系、水系（エマルション系）、ホットメルト系等であり、また粘着剤の材質では、ゴム系、アクリル系、ＵＶ・ＥＢ硬化型系等である。
【００２０】
また、粘着シートの粘着剤層は、少なくとも片面であるが、両面でも構わない。なお、両面の場合、化粧シートは本発明の如く粘着加工が施されている化粧シート以外に、粘着加工が施されていない化粧シートでも、既存化粧材や下地材に貼り合せることが可能である。但し、化粧シート側としては、施工対象次第で粘着シートが不要な場合でも容易に貼り合せて施工できることを考えると、粘着加工された状態の化粧シートの方が融通が利く点では好ましい。
【００２１】
ところで、施工対象の被着体である既存化粧材、或いは下地材は、特に制限は無い。例えば、下地材の材質は、木質系（ＭＤＦ（中質繊維板）、合板等）、金属系（アルミニウム板、鉄板等）、樹脂系（アクリル板、塩化ビニル樹脂板等）、無機材系（石綿スレート板等）、等である。また、形状は、板状、柱状、その他立体形状等である。
一方、既存化粧材は、上記の如き下地材の表面に化粧を施したもの、或いは、無垢材、突き板、集成材、タイル等である。該化粧としては、塩化ビニル樹脂系、オレフィン樹脂系、紙系等の各種化粧シートの貼り合わせ、ペンキ等による塗装、タイル貼り、或いは、メラミン樹脂、ＤＡＰ樹脂、ポリエステル樹脂等による硬化性樹脂化粧板等に於ける樹脂含浸化粧シートの積層である。
【００２２】
【実施例】
以下、実施例及び比較例により本発明を更に詳述する。
【００２３】
〔実施例１〕
先ず、片面がシリコーンにて離型処理されたオレフィン樹脂／紙系のセパレータ１３の離型面に、アクリル系粘着剤を施して厚さ４０μｍの粘着剤層１２を形成し、これを木目柄が印刷形成された厚さ０．１４ｍｍのオレフィン系化粧シート（本体）１１の裏側とする面と、粘着剤層１２で貼り合せて、粘着加工が施された化粧シート１０を用意した〔図１（Ａ）参照〕。
【００２４】
一方、熱可塑性樹脂粘着シートとしては、上記化粧シートと同様に片面がシリコーンにて離型処理されたオレフィン樹脂／紙系のセパレータ３３の離型面に、アクリル系粘着剤を施して厚さ４０μｍの粘着剤層３２を形成し、これを、隠蔽性顔料として酸化チタンを添加した厚さ０．５ｍｍのオレフィン系硬質樹脂シートからなるシート基材３１の片面に上記粘着剤層３２で貼り合せて、片面が粘着加工された隠蔽性を有する熱可塑性樹脂粘着シート３０を用意した〔図１（Ａ）参照〕。
【００２５】
そして、上記化粧シート１０と粘着シート３０とを、ラミネータで貼り合わせて積層体とした後、この積層体を粘着シート由来の粘着剤層３２で、各種下地材或いは既存化粧材の被着体３０と貼り合せた〔図１（Ａ）及び（Ｂ）参照〕。なお、被着体の被着面は、予め、ゴム系の下塗りプライマーを施して接着強化処理を行った（不図示）。
【００２６】
なお、被着体としたものは、下地材としては、ＭＤＦ、合板、硬質塩ビ（塩化ビニル樹脂）板、アクリル板、アルミニウム板、石綿スレート板を用いた。また、既存化粧材としては、塩ビ（塩化ビニル樹脂）化粧シート、オレフィン（オレフィン樹脂）化粧シートでＭＤＦ表面が化粧された化粧材と、メラミン化粧板とを用いた。なお、これらの既存化粧材は何れも表面にエンボス加工による凹凸模様を有するものを用いた。
【００２７】
〔比較例１〕
実施例１に於いて、粘着シートの使用を省略した以外は、実施例１同様に、化粧シートを各種被着体に貼り合わせた。
【００２８】
〔実施例２〕
先ず、片面がシリコーンにて離型処理されたオレフィン樹脂／紙系のセパレータ１３の離型面に、アクリル系粘着剤を施して厚さ４０μｍの粘着剤層１２ａを形成し、これを木目柄が印刷形成された厚さ０．１４ｍｍのオレフィン系化粧シート（本体）１１ａの裏側とする面と、粘着剤層１２ａで貼り合せて、粘着加工が施された化粧シート１０ａを用意した〔図２参照〕。
【００２９】
また、片面がシリコーンにて離型処理されたオレフィン樹脂／紙系のセパレータ（不図示）の離型面に、アクリル系粘着剤を施して厚さ４０μｍの粘着剤層１２ｂを形成し、これを熱エンボスにてオーク導管の凹凸模様を片面に賦形した厚さ０．０６ｍｍで半透明のオレフィン系樹脂シートからなる化粧シート本体１１ｂの非賦形面と、粘着剤層１２ｂで貼り合せて、粘着加工が施された化粧シート１０ｂを用意した〔図２参照〕。
【００３０】
そして、化粧シートを更に高意匠とすべく、上記化粧シート１０ａと化粧シート１０ｂとをラミネータを用いて、化粧シート１０ｂ由来の粘着剤層１２ｂで貼り合わせて、表面に凹凸模様を有し粘着加工が施され裏面に粘着剤層１２ａを有する化粧シート１０を用意した〔図２参照〕。
【００３１】
そして、上記化粧シート１０と実施例１で用いたのと同じ粘着シート３０とを、実施例１と同様にして、ラミネータで貼り合わせて積層体とした後、この積層体を粘着シート３０由来の粘着剤層３２で、各種下地材或いは既存化粧材の被着体と貼り合せた。
【００３２】
〔性能評価〕
各実施例及び各比較例で化粧シートを貼り合わせたものについて、被着体に対する隠蔽性と、被着体の表面凹凸に対する凹凸防止性能とを評価した。被着体の色或いはその濃淡が、施工された化粧シート上から見えるものは不良（×）、僅かだが見えるものはやや良好（△）、全く見えないものは良好（○）とした。また、被着体の表面凹凸で、施工された化粧シート面に凹凸が出ているものは不良（×）、僅かだが出ているものはやや良好（△）、全く出ていないものは良好（○）とした。結果は、表１に纏めて示す。表１の如く、隠蔽性及び凹凸防止性能の両方とも、実施例の方が比較例よりも優れていた。
【００３３】
また、実施例１及び２の化粧シート及び粘着シートの夫々について、キッチン扉形状のＭＤＦからなる下地材と、塩ビ化粧シートが貼られたキッチン扉形状の既存化粧材とに対して、手貼りで化粧シートを貼り合わせて施工してみた。その結果、隠蔽性及び凹凸防止性能に優れ外観良好なキッチン扉が得られた。
【００３４】
【表１】
2004238832.tif 000003
【００３５】
【発明の効果】
本発明によれば、被着体である既存化粧材や下地材を隠蔽して、その外観色やその濃淡が、施工後の化粧シートを通して透けて見え意匠外観に悪影響するのを防げる。また、既存化粧材や下地材の表面に凹凸が有る場合でも、その凹凸が施工後の化粧シート表面に悪影響して、化粧シート表面に前記凹凸が現れるのを防げる。これらの結果、特にリフォーム時では、既存化粧材の表面がエンボス化粧シートからなり表面凹凸を有する場合も含めて、表面の化粧シートのみを剥がしたり或いは既存化粧材を取り外したりせずに、既存化粧材の上にそのまま化粧シートを施工できるので、既存化粧材が廃棄物として出るのも防げる。
【図面の簡単な説明】
【図１】化粧シートの施工方法をその一形態で概念的に説明する断面図。
【図２】化粧シートの施工方法の別の一例を説明する断面図。
【符号の説明】
１０、１０ａ、１０ｂ  化粧シート
１１、１１ａ、１１ｂ  化粧シート本体
１２、１２ａ、１２ｂ  粘着剤層
１３  セパレータ
２０  被着体（既存化粧材、下地材）
３０  熱可塑性樹脂粘着シート
３１  シート基材
３２  粘着剤層
３３  セパレータ
【図１】
2004238832.tif 000004
【図２】
2004238832.tif 000005